(57)【要約】      （修正有）【課題】簡単かつ信頼性の高い構造を有し、同時に少なくとも時折月を表示することを可能とした、時計のカレンダーシステムを提供する。【解決手段】時計のカレンダーシステム１００であって、開口部１０ａを有する日付表示部材１０と、特に開口部１０ａがカレンダーシステム１００のユーザから見える状態のとき、およびまたは、カレンダーシステム１００が所定の月の所定の日、特に所定の月の１日目、を表示しているとき、開口部１０ａに月を表示するように配置される、月表示部材３０と、からなる。【選択図】図４
2017134056.tif 000002
【特許請求の範囲】
【請求項１】
時計のカレンダーシステム（１００；２００）であって、
開口部（１０ａ）を有する日付表示部材（１０）と、
特に前記開口部（１０ａ）が前記カレンダーシステムのユーザから見える状態のとき、およびまたは、前記カレンダーシステムが所定の月の所定の日、特に所定の月の１日目、を表示しているとき、前記開口部（１０ａ）に月を表示するように配置される、月表示部材（３０）と、
からなる、時計のカレンダーシステム（１００；２００）。
【請求項２】
前記月表示部材およびまたは前記開口部（１０ａ）がユーザから見えない状態のとき、前記月表示部材を駆動するよう配置され、特に前記月表示部材を前記カレンダーシステムによって表示される月の２日目と３０日目の間に駆動するよう配置され、特に前記カレンダーシステムによって表示される月の１０日目と２０日目の間に駆動するよう配置される、前記月表示部材を駆動する駆動要素（１）を有する、
請求項１に記載の時計のカレンダーシステム。
【請求項３】
前記日付表示部材が１ステップで駆動される間に、前記月表示部材を１ステップで駆動するよう配置される、前記月表示部材を駆動する駆動要素（１）を有する、
請求項１または２に記載の時計のカレンダーシステム。
【請求項４】
前記駆動要素（１）は、月車（３）のいくつかの歯（３ａ）と噛み合う少なくとも１本の歯（１ｂ）、特に前記月車（３）の１２本の歯（３ａ）と噛み合う１本の歯（１ｂ）、を具備する日車（１）を有する、
請求項２または３に記載の時計のカレンダーシステム。
【請求項５】
前記駆動要素は前記日付表示部材を前記月表示部材に接続する動的接続要素（８）を有し、前記接続要素は、前記日付表示部材が１ステップ駆動される間に前記月表示部材を最大１／ｎステップ駆動するよう配置され、ここでｎは１より大きい自然数であり、特にｎ＝２またはｎ＝３またはｎ＝４またはｎ＝５である、
請求項１から４のいずれか一項に記載の時計のカレンダーシステム。
【請求項６】
前記接続要素（８）は、日車（１）のｎ本の歯（１ｂ）と協働する複数の突起（８ａ）を具備するマルタ十字（８）を有し、該マルタ十字は月車（３）のｎ本の歯（３ａ）と噛み合う歯車部（８ｂ）を有し、または前記動的接続要素は月カムと噛み合い、かつ日車とも噛み合う一つ以上の中間車を含む装置を有する、
請求項５に記載の時計のカレンダーシステム。
【請求項７】
前記日付表示部材（１０）および前記月表示部材（３０）は一つの同一軸（Ｐ）の周りを旋回され、およびまたは、日車（１）と月車（３）は一つの同一軸（Ｐ）の周りを旋回される、
請求項１から６のいずれか一項に記載の時計のカレンダーシステム。
【請求項８】
前記日付表示部材（１０）は日車（１）であり、およびまたは、前記月表示部材（３０）は月車（３）である、
請求項１から７のいずれか一項に記載の時計のカレンダーシステム。
【請求項９】
前記日付表示部材（１０）およびまたは前記月表示部材（３０）は、板または板の環状部である、
請求項１から８のいずれか一項に記載の時計のカレンダーシステム。
【請求項１０】
前記時計のカレンダーシステムは、月の日付を表示するための窓（４）を具備する文字盤（９９）を有し、前記開口部（１０ａ）は前記窓を通して見えるよう配置される、
請求項１から９のいずれか一項に記載の時計のカレンダーシステム。
【請求項１１】
前記時計のカレンダーシステムは瞬間ジャンプタイプである、
請求項１から１０のいずれか一項に記載の時計のカレンダーシステム。
【請求項１２】
日車（１）の少なくとも１本の歯（１ｂ）は、３０日より少ない日数を有する月およびまたは３０日からなる月の末に、前記日付表示部材（１０）の追加ジャンプを許可するよう配置される、
請求項１から１１のいずれか一項に記載の時計のカレンダーシステム。
【請求項１３】
月車（３）は、年間または万年カレンダーをプログラムするためのカム（３００）を有する、
請求項１から１２のいずれか一項に記載の時計のカレンダーシステム。
【請求項１４】
請求項１から１３のいずれか一項に記載のカレンダーシステム（１００；２００）を有する、時計のムーブメント（１１０；２１０）。
【請求項１５】
請求項１から１３のいずれか一項に記載のカレンダーシステム（１００：２００）を有し、または請求項１４に記載のムーブメント（１１０；２１０）を有する、時計（１２０：２２０）、特に腕時計。
【発明の詳細な説明】
【技術分野】
【０００１】
本発明は、時計のカレンダーシステムに関する。さらに本発明は、そのようなカレンダーシステムを有する時計のムーブメントに関する。最後に本発明は、そのようなカレンダーシステムまたはムーブメントを有する時計、特に腕時計に関する。
【０００２】
特許文献１には、月を表示する表示装置であって、月板上の印が文字盤上の１２個の窓のうちの一つと協働するよう設計されているものが開示されている。視覚上は瞬間的であるものの、この機構はいくつかのステップによって駆動されるため、月のジャンプに必要なエネルギーが最小となりかつ何日かにわたって行われ、時計の精度が保証される。このように永続的に月を表示する機構は特に目立たないものの、時計の文字盤は非常に特有な外観を有することになる。
【０００３】
特許文献２は、時折、時間情報を表示する装置に関し、装着者の指示に基づいて、カレンダー情報の二つの部分の間に配置される日付板の窓の中に表示が現れるよう構成された電気光学表示部材を有する装置を提供する。好ましい実施例において、隠された情報は月の数字に対応し、年間または万年カレンダーを設定するときなどに表示させることができる。この装置は特に目立たないという利点を有するものの、他方では、窓の角度位置に対応して、日付板を１角度ステップまたは２角度ステップ分駆動するようプログラムされる必要のある、複雑な作動手段を必要とする。これらは例えば、電子手段である。日付板と表示部材との間には運動学的な連結はなく、後者は固定されている。
【０００４】
特許文献３は、日付板を駆動する第一運動学的連鎖と、月カムの運動量のもとで動作される日付板を補正するための第二連鎖とを有する、年間カレンダー機構を開示する。この目的のため、日付板は３つの異なる歯車部を有する。３１本の歯からなる第一歯車部は、従来の方法で日付駆動板により駆動されるよう設計される。１本の歯からなる第二歯車部は、日付補正車により駆動されるよう設計される。１本の歯からなる第三歯車部は、現在の月の３１日目から次の月の１日目に移行するとき、月表示を常に表示する部材を有する月カムを駆動するよう設計される。
【０００５】
特許文献４は、トレイル年間カレンダー機構を開示し、該カレンダー機構は、小の月の最後に３０日目から「３１日目」に進むときは、日付板の付加的な歯によって、「３１日目」から次の月の１日目に進むときには日車の付加的な爪によって、駆動される月車を有する。この解決法は、２本の異なる歯群のみを有する、特に簡単な構造を有する日付板を使用するという利点を有する。しかしながら、このような順序付けは複雑な機構を必要とし、月車の駆動は該カレンダーがトレーリングカレンダーであるということによって可能となる。これらの各要素を駆動すること、特に日付板と月車を駆動することにより、装置がロックアップを起こしてしまう。そのため、上述の機構に基づいて、年間カレンダーと共に日付の瞬間ジャンプ機能を作動することはできない。さらに月車は、月表示を常に表示する部材を有する。月車をダブルジャンプさせるには月表示を二重にする必要があり、そのために月表示を縮小することとなり、文字盤の外観的魅力を減少させてしまう可能性がある。
【先行技術文献】
【特許文献】
【０００６】
【特許文献１】欧州特許明細書第２４２８８５６号（ＥＰ２４２８８５６Ｂ１）
【特許文献２】スイス特許第６８１６７３号（ＣＨ６８１６７３Ｂ５）
【特許文献３】欧州特許明細書第０９８７６０９号（ＥＰ０９８７６０９）
【特許文献４】欧州特許明細書第１６６６９９１号（ＥＰ１６６６９９１）
【発明の概要】
【発明が解決しようとする課題】
【０００７】
本発明の目的は、上述した問題点を解消することを可能とするカレンダーシステムを提供することにより、従来から知られる時計のカレンダー装置を向上することにある。特に第一の態様によると、本発明は、簡単かつ信頼性の高い構造を有し、同時に少なくとも時折月を表示することを可能とした、時計のカレンダーシステムを提案する。さらに、第二の態様によると、本発明は、月カムが動的接続要素を介在して日車によって駆動される、年間または万年時計を提案する。
【０００８】
本発明の第一の態様によると、時計のカレンダーシステムは、
‐開口部を有する日付表示部材と、
‐特に前記開口部が前記カレンダーシステムのユーザから見える状態のとき、およびまたは、前記カレンダーシステムが所定の月の所定の日、特に所定の月の１日目、を表示しているとき、前記開口部に月を表示するように配置される、月表示部材と、
からなる。
【０００９】
前記時計のカレンダーシステムは、前記月表示部材およびまたは前記開口部がユーザから見えない状態のときに、前記月表示部材を駆動するよう配置され、特に前記月表示部材を前記カレンダーシステムによって表示される月の２日目と３０日目の間に駆動するよう配置され、さらに特に前記カレンダーシステムによって表示される月の１０日目と２０日目の間に駆動するよう配置される、前記月表示部材を駆動する駆動要素を有してもよい。
【００１０】
前記時計のカレンダーシステムは、前記日付表示部材が１ステップで駆動される間に、前記月表示部材を１ステップで駆動するよう配置される、前記月表示部材を駆動する駆動要素を有してもよい。
【００１１】
前記駆動要素は、月車のいくつかの歯と噛み合う少なくとも１つの歯、特に前記月車の１２本の歯と噛み合う１つの歯、を具備する日車を有してもよい。
【００１２】
前記駆動要素は前記日付表示部材を前記月表示部材に接続する動的接続要素を有してもよく、前記接続要素は、前記日付表示部材が１ステップ駆動される間に前記月表示部材を最大１／ｎステップ駆動するよう配置され、ここでｎは１より大きい自然数であり、特にｎ＝２またはｎ＝３またはｎ＝４またはｎ＝５である。
【００１３】
前記接続要素は、日車のｎ本の歯と協働する複数の突起を具備するマルタ十字を有し、該マルタ十字は月車のｎ本の歯と噛み合う歯車部を有する。または前記動的接続要素は月カムと噛み合い、かつ日車とも噛み合う一つ以上の中間車を含む装置を有する。
【００１４】
前記日付表示部材および前記月表示部材は一つの同一軸の周りを旋回されてよく、およびまたは、日車と月車は一つの同一軸の周りを旋回されてよい。
【００１５】
前記日付表示部材は日車であってよく、およびまたは、前記月表示部材は月車であってよい。
【００１６】
前記日付表示部材およびまたは前記月表示部材は、板または板の環状部であってよい。
【００１７】
前記時計のカレンダーシステムは、月の日付を表示するための窓を具備する文字盤を有してもよく、前記開口部は前記窓を通して見えるよう配置される。
【００１８】
前記時計のカレンダーシステムは瞬間ジャンプタイプであってよい。
【００１９】
日車の少なくとも１本の歯は、３０日より少ない日数を有する月およびまたは３０日からなる月の末に、前記日付表示部材の追加ジャンプを許可するよう配置されてよい。
【００２０】
月車は、年間または万年カレンダーをプログラムするためのカムを有してもよい。
【００２１】
本発明の第一の態様によると、時計のムーブメントは上述したカレンダーシステムを有する。
【００２２】
本発明の第一の態様によると、時計、特に腕時計は、上述したカレンダーシステムを有し、または前記ムーブメントを有する。
【００２３】
本発明の第二態様によると、時計のカレンダーシステムは以下を有する。
‐日車、
‐月カム、および
‐月カムの動きを日車が駆動するよう配置された、動的接続要素。
【００２４】
好ましくは、月カムの動きは、日車のみによって駆動され、より詳しくは、動的接続要素を介して日車のみによって駆動され、およびまたは、日車は日付表示部材を有してもよく、特に日付表示板を有してもよい。
【００２５】
月カムは月表示部材を有してもよく、特に月表示板を有してもよく、月カムは月表示部材、特に月表示板に固定されてもよい。
【００２６】
動的接続要素は、ひと月の間に、特に１／１２回転である月カムの１ステップを駆動するよう配設されてよい。
【００２７】
該動的接続要素は、日車が１ステップで駆動される間に月カムが最大１／ｎステップ分駆動されるよう配置されてよい。ここで、ｎは１より大きい自然数であり、特にｎ＝２、またはｎ＝３、またはｎ＝４、またはｎ＝５である。
【００２８】
前記動的接続要素は、月表示部材が使用者に見えない状態の間または情報を表示していないとき月カムを駆動するよう配置されてもよく、およびまたは、月カムをカレンダーシステムによって表示される月の２日目から３０日目までの間駆動するよう、特にカレンダーシステムによって表示される月の１０日から２０日の間駆動するよう、配置されてもよい。
【００２９】
前記動的接続要素は、日車のｎ本の歯と協働する複数の突起を具備するマルタ十字を有してもよく、該マルタ十字は月カムと噛み合う歯車部を有する。
【００３０】
前記動的接続要素は、月カムと噛み合い、かつ日車と噛み合う、一つ以上の中間車を含む装置を有してもよい。
【００３１】
日車および月カムは、一つの同一軸の周りを旋回してもよい。
【００３２】
前記時計のカレンダーシステムは、瞬間ジャンプタイプであってよい。
【００３３】
前記月カムは年間タイプであってよく、およびまたは、月カムは内周または外周に配置されるカム表面を有してもよい。
【００３４】
したがって、月カムは以下を定義するように配置される。
‐カレンダーシステムの第一状態であって、日車が「３０」日を表示する位置にあるとき、カレンダーシステムの駆動要素の動作により日車が２ステップ進み；
‐カレンダーシステムの第二状態であって、日車が「３０」日を表示する位置にあるとき、カレンダーシステムの駆動要素の動作により日車が１ステップ進む。
【００３５】
本発明の第二態様によると、時計のムーブメントは上記に定義したカレンダーシステムを有する。
【００３６】
本発明の第二態様によると、時計、特に腕時計は、上記に定義したカレンダーシステムまたは上記に定義したムーブメントを有する。
【００３７】
本発明の第二態様によると、本発明は、上記に定義した時計のカレンダーシステムまたは時計のムーブメントまたは時計の作動方法に関し、その方法は以下のステップを有する。
‐日車が「３０」日を表示する位置にあるとき、カレンダーシステムの駆動要素の動作により日車が２ステップ進む、カレンダーシステムの第一状態を定義する第一位置に月カムを位置させるステップと、
‐日車が「３０」日を表示する位置にあるとき、カレンダーシステムの駆動要素の動作により日車が１ステップ進む、カレンダーシステムの第二状態を定義する第二位置に月カムを位置させるステップ。
【００３８】
両者が論理的または技術的に矛盾しない限り、本発明の第一態様の特徴のあらゆる組み合わせは、第二態様の特徴のあらゆる組み合わせと組み合わせ可能である。
【００３９】
好ましくは本発明は、例えば月のある特定の日を表示するとき、特にカレンダーシステムを設定するときなどの、時折の特定の時期にしか装着者に見えない、という特徴を有する月表示を表示する部材を有する月表示装置を含むカレンダーシステムに関する。
【００４０】
該カレンダーシステムは、特に現在の月の１日目と３１日目との間に月表示を表示する表示部材を少なくとも部分的に駆動するという特徴を有する。
【００４１】
このようなシステムは、時計の文字盤情報を過剰にする可能性のある、月表示を常に表示する装置に置き換えるのに有利な技術を提案する。本システムはまた、年間日付または万年日付タイプのムーブメントの構造を簡素化することを可能とする。ある実施例において、本システムは、月表示または月カムを表示する部材を駆動するのに必要なエネルギーを最小限にして分配することを可能とする。
【００４２】
そのため、好ましくは、本カレンダーシステムにおいて、月表示部材は日付表示部材が特定の構成にあるとき、例えば所定の月の１日目、にのみ見ることが可能であり、およびまたは、月表示部材は、現在の月の１日目と３１日目との間に、少なくとも部分的に、駆動される。
【００４３】
上述した通り、月表示を所定のときにのみ表示することにより、月表示車を日付表示車と少なくとも部分的に非同期にすることができる優位点があり、それにより、月車が運動学的に日車に連結される、特に月車が日車にのみ運動学的に連結される構造を有する、年間または万年日付カレンダーシステムの構造を簡易化およびまたは最適化することが可能となる。このようなカレンダーシステムは、特に、２つの別個の歯群のみを有する日車の特に簡易な構造を提供することを可能とする。
【００４４】
添付の図面は、例示により、本発明にかかる時計のカレンダーシステムの２つの実施例を表す。
【図面の簡単な説明】
【００４５】
【図１】図１は、本発明に係る時計のカレンダーシステムの第一実施例を示す。
【図２】図２は、本発明に係る時計のカレンダーシステムの第一実施例を示す。
【図３】図３は、本発明に係る時計のカレンダーシステムの第一実施例を示す。
【図４】図４は、本発明に係る時計のカレンダーシステムの第一実施例を示す。
【図５】図５は、本発明に係る時計のカレンダーシステムの第一実施例を示す。
【図６】図６は、本発明に係る時計のカレンダーシステムの第一実施例を示す。
【図７】図７は、本発明に係る時計のカレンダーシステムの第一実施例を示す。
【図８】図８は、本発明に係る時計のカレンダーシステムの第一実施例を示す。
【図９】図９は、本発明に係る時計のカレンダーシステムの第一実施例を示す。
【図１０】図１０は、本発明に係る時計のカレンダーシステムの第一実施例を示す。
【図１１】図１１は、本発明に係る時計のカレンダーシステムの第二実施例を示す。
【図１２】図１２は、本発明に係る時計のカレンダーシステムの第二実施例を示す。
【図１３】図１３は、本発明に係る時計のカレンダーシステムの第二実施例を示す。
【図１４】図１４は、本発明に係る時計のカレンダーシステムの第二実施例を示す。
【図１５】図１５は、本発明に係る時計のカレンダーシステムの第二実施例を示す。
【発明の詳細な説明】
【００４６】
本発明の第一の態様を、時計１２０の第一実施例として、図１から１０を参照しつつ説明する。時計は、例えば腕時計である。
【００４７】
時計は、時計のムーブメント１１０、特に機械式ムーブメントを有してよい。
【００４８】
時計のムーブメントは、本発明に係るカレンダーシステム１００の第一実施例を有する。有利には、本カレンダーシステムは年間日付タイプまたは万年カレンダータイプである。
【００４９】
時計のカレンダーシステム１００は、
‐開口部１０ａを有する日付表示部材１０と、
‐特に前記開口部１０ａが前記カレンダーシステムのユーザから見える状態のとき、およびまたは、前記カレンダーシステムが所定の月の１日目を表示しているとき、前記開口部１０ａに月を表示するように配置される、月表示部材３０と
を有する。
【００５０】
好ましくは、前記開口部１０ａは、日付表示に面しまたは日付表示と並置され、特に日付「１」に面しまたは日付「１」と並置される、第一窓である。つまり、ここで説明する第一実施例において、開口部１０ａは月の１日目の表示と並置される。当然のことながら、開口部１０ａを他の日付と面するように配置してもよい。
【００５１】
同じく好ましくは、月表示部材３０は、カレンダーシステムが所定の月の１日目を表示しているときに、開口部１０ａ中に月を表示するように配置される。
【００５２】
第一実施例において、月表示車は、現在の月の１日目と３１日目の間に行われる日付板の独立した一つの角度ステップにわたって作動される。
【００５３】
本発明の第一実施例は、プログラムアセンブリ２の歯車部２ａと噛み合うよう設計された第一外部歯車部１ａを有する日車１を具備するという特徴を有する。日車１は、図２に示すプログラムアセンブリ２の歯車部２ｂおよび図３に示す月車３の歯車部３ａの両方と噛み合うよう設計される一つの歯１ｂのみを有する歯車部１ｂを有する。歯車部１ａおよび１ｂはこの例において、二つの異なる高さに配置されている。
【００５４】
日付表示部材１０は月表示部材３０の上に配置される。つまり、部材１０の上に形成される開口部１０ａが、図４に図示されるように第二窓４に面して配置されていない場合、月表示は時計のガラスを通して、特に例えば文字盤９９（図６に部分的に図示される）に形成される第二窓４を通して、ユーザから見える状態にはない。このため、この時計のカレンダーシステムは、ユーザから見える状態とするため、開口の形成される第２日付表示窓を具備する文字盤を有することができる。
【００５５】
車１および３が動かない段階の状態では、これらの車は従来の方法で、図３に示すとおり、それぞれ歯車部１ａおよび３ａと協働するよう設計されたヘッドまたは突出部５ａ、６ａを有するジャンパー５、６を使用して、割出しされる。
【００５６】
アセンブリ２は、カレンダーシステムが大の月と小の月とを区別することができるように配置される。そのために、アセンブリ２の歯車部２ａおよび２ｂは共に、それぞれが歯車部２ａおよび２ｂのみを駆動する二つの駆動爪７ａおよび７ｂを有するカレンダーシステムの駆動要素７によって、毎日駆動されるよう設計される。爪７ｂは歯車部２ｃを介して歯車部２ｂを駆動し、これら二つの歯車部２ｂおよび２ｃは、図５に示すように、ピン２００により一体となって回転する。
【００５７】
アセンブリ２の歯車部２ａの歯と車１の歯車部１ａの歯との相互作用は、日付が変わるごとに発生する。これに対して、アセンブリ２の歯車部２ｂの１本の歯と車１の歯１ｂとの相互作用は、各小の月の終わりの時にのみ、より詳しくは各小の月の３０日目から「３１」日目に表示が移行する間に、発生する。例示として、図６から８に、１１月の末における機構を図示する。図６は、３０日目から「３１」日目に表示が移行する間のカレンダーシステムの状態を示す。この構成において、爪７ｂは歯車部２ｂを導き、歯車部２ｂは日車の第一角度ステップにわたって歯１ｂを駆動する。図７は、月の３１日目から１２月の１日目に表示が移行する間のカレンダーシステムの状態を図示する。この構造において、爪７ａは歯車部２ａを導き、歯車部２ａは日車の第二角度ステップにわたって歯車部１ａを駆動する。このため、カレンダーシステムの駆動要素７が一回動くことにより、特に一度回転することにより、日車１は２ステップ分進み、日付表示部材１０は「３０」を表示する状態から「１」を表示する状態に移行する。その結果、このシステムは、３０日で終わる月の末に日付表示部材１０が追加ジャンプすることを可能とする、日車１の少なくとも一つの歯１ｂを有する。図８は、上述した二つの移行を実行した後のカレンダーシステムの最終状態を図示する。
【００５８】
月末に日付を変えるこれらのフェーズの間、月車３、特に月表示部材３０は、動かないままである。図６から８における動作シーケンスにおいて、月車３は、部材１０によって表示される月の１日目に対応する表示を月表示部材３０が表示するよう、配置される。例として、図８は１２月の１日目におけるカレンダーシステムの構成を示す。この構成において、時計の装着者は、特に必要な場合にカレンダーシステムを設定する目的のために、各月の１日に現在の月を知ることができる。
【００５９】
月車３の作動は、歯１ｂが歯車部３ａに作動したときに月を移行する間に実行され、より詳細には、図９および１０に示すように、現在の月の１１日目から１２日目に移行する間に、実行される。わかりやすさのため、「１０」「１１」および「１２」の日付は日付表示板１０に図示されない。有利には、文字盤９９の第二窓４に開口部１０ａが位置していないことから、月表示部材３０のムーブメントは時計の装着者には見えない。本実施例によると、現在の月の１２日目以降、図１０に示されるように、月表示部材３０が次の月を表示するように月車３は配置される。このため、月車を駆動する駆動要素１は、ユーザに月表示部材およびまたは開口部１０ａが見えない状態で、月車または月表示部材を駆動するよう配置される。特に駆動要素は、月車または月表示部材がカレンダーシステムによって表示される月の２日目から３１日目までの間に、特にカレンダーシステムによって表示される月の１０日から２０日の間に、駆動されるよう配置される。
【００６０】
また好ましくは、月表示部材を駆動する駆動要素は、日付表示部材が１ステップによって駆動される間に、月表示部材を１ステップによって駆動するよう配置される。
【００６１】
駆動要素は、有利には日車である。駆動要素は、月車３のいくつかの歯３ａと噛み合う少なくとも一つの歯１ｂ、特に月車３の１２本の歯３ａと噛み合う一つの歯１ｂを有する。
【００６２】
このような実施例により、歯車部１ａおよび１ｂを並べて配置するための二つの異なる高さのみを有する簡単な構造の日車を使用することができる。このことにより、カレンダーモジュールの厚さが最小となるような、よりコンパクトなデザインが可能となる。他の例として、歯車部１ｂは、歯車部１ａとは異なる外形を有する歯車部１ｂを使用することにより、歯車部１ａと同じ高さに配置可能である。
【００６３】
時計２２０の第二実施例を、図１１から１５を参照しつつ、説明する。時計は、例えば腕時計である。
【００６４】
時計は、ムーブメント２１０、特に機械式ムーブメントを有してもよい。
【００６５】
時計のムーブメントは、本発明に係るカレンダーシステム２００の第二実施例を有する。有利には、本カレンダーシステムは年間日付タイプまたは万年カレンダータイプである。
【００６６】
時計のカレンダーシステム２００は、
‐開口部１０ａを有する日付表示部材１０と、
‐前記開口部１０ａ中に月表示を表示するように配置される月表示部材３０
を有する。
【００６７】
本カレンダーシステムの第一実施例と第二実施例において、同じ構造または同じ機能を有する各要素には、同じ符号を付す。
【００６８】
本発明の第一態様は、ここに説明する第二実施例によって、さらに説明される。この第二実施例は、主に以下の点で第一実施例と異なる。
‐月車は日車を駆動するため、１ステップまたは複数のステップで駆動される；およびまたは
‐日付表示部材および月表示部材は、一つの同一軸Ｐの周りを、すなわち同軸に、旋回し、およびまたは、日車および月車は、一つの同一軸Ｐの周りを、すなわち同軸に、旋回する。
【００６９】
第二実施例において、図１１から１３に示すように、月表示車は日付板のいくつかの角度ステップにわたって駆動される。カレンダーシステムは特に、日車と月車をつなぐ動的接続要素８を有する。例えば、この接続要素は中間車の形であってもよく、または一つ以上の中間車が一方では日車の少なくとも歯部を形成された部分と噛み合い、もう一方では月車と噛み合うシステムの形であってもよい。カレンダーシステムの従来的な動作において、日車の角度位置は、日車の歯車部と協働するよう設計される突出部５ａを有するジャンパー５によって割り出されてもよい。月車３の角度位置は、日車および月車と噛み合う接続要素を介して、歯のラッシュ分の誤差はあるとしても、保証される。
【００７０】
日車１は、日付駆動爪７ａによって駆動されるよう設計される内部歯車部１ａを有する。本実施例において、この日車はさらに、車１の外周に配置されて動的接続要素８を介して月車３の歯車部３ａと噛み合うよう設計された歯車部１ｂを有する。この接続要素は軸Ｐに平行な軸の周りを旋回する。
【００７１】
接続要素８は、例えば図１１から１３に示されるマルタ十字８を有してもよい。マルタ十字は、日車のｎ個の歯１ｂと噛み合う複数の突起８ａを有してもよい。マルタ十字は、月車３の歯車部３ａと噛み合う歯車部８ｂを有する。ｎは好ましくは１以上の自然数であり、特にｎ＝２またはｎ＝３またはｎ＝４またはｎ＝５である。このため、接続要素８は、月車をステップの最大１／ｎによって駆動するよう配置され、日付表示部材は１ステップによって駆動される。
【００７２】
カレンダーシステムの従来的動作によると、車１の角度位置はジャンパー５によって割り出され、ジャンパー５の突出部５ａは歯車部１ａと噛み合うよう設計される。接続要素の多角形またはほぼ多角形の外形８ｃと噛み合うよう設計される車１の外周円形状１ｃによって、車３の角度位置は、歯のラッシュ分の誤差はあるとしても、保証される。月車の作動は、歯車部１ｂを接続要素８の歯車部８ａと噛み合わせ、歯車部３ａを歯車部８ｂと噛み合わせることにより実施される。そのため、日車の特定のステップの間、月車はステップの最大１／ｎによっておよび日車の他のステップによって駆動され、月車は駆動されない。
【００７３】
この実施例において、日車は４つの歯１ｂを有する。歯１ｂが接続要素と相互作用するとき、日付ジャンプは月車３を角度ステップの１／４にわたって駆動する。しかしながら、日付がジャンプしても、歯１ｂが接続要素と相互作用していない場合、月車３は動かない。言い換えるなら、月車は日付板の４つの角度ステップにわたって駆動される。例えば、これらの作動または駆動は、月の２日目から３日目、月の１０日目から１１日目、月の１７日目から１８日目、および月の２５日目から２６日目に移行する時に実施され、文字盤９９の窓４に表示される（図１３にその一部を示す）。あるいは、日車、月車および接続要素を適切に構成することにより、月車３は月全体にわたって、つまり日車の３１角度ステップにわたって、駆動される。
【００７４】
第二実施例において、月を変えるために必要なエネルギーはいくつかの瞬間日付ジャンプにわたって分布してもよく、これは追加ジャンパーを設けることなく達成可能である。月表示を変化させるためのエネルギーはとても少なくて済み、時計の精度に対して悪影響はない。
【００７５】
第一実施例と同じく、部材１０に形成された開口部１０ａが窓４に位置しない限り、月表示は好ましくは窓４から見えない。第二実施例において、開口部１０ａは、図１１から１３に示すように、第１日目「１」の表示と並置される。
【００７６】
図１１から１３に示す構造はさらに、ムーブメントの中心を空けておくことを可能とし、そのためムーブメントの中心に別の時間や日付表示を表示することができる。
【００７７】
図１４および１５に示すように、様々な実施例において、月車３は年間または万年カレンダーをプログラムするために使用される月カムまたはプログラミングカム３００に固定されてもよい。カムおよび月車は一体アセンブリを形成してもよいし、一つの部材から形成されてもよい。あるいは、カムと車は相互に接合されていてもよい。カムと月車が相互に固定されている構成は、特に年間または万年カレンダーシステムに有利である。なぜならば、そのようなカレンダーシステムの構造により、そのプログラミングカムは所定の月の３１日目から次の月の１日目までの間、実行されることができないからである。有利には、カムは環状カムである。月カムは、月を表示する部材、特に月表示板を有してよい。あるいは、月カムは月を表示する部材、特に月表示板に固定される。月カムは内周または外周に配置されるカム表面を有してもよい。
【００７８】
このようにして、月表示部材３０とカレンダープログラミングカム３００は同時にまたは一緒に駆動可能である。
【００７９】
例として、図１５に、最大３０日を有する小の月と３１日を有する大の月とを区別するよう設計された月カム３００を使用して日車の位置を割り出す機構を示す。この機構において、割出される日付板と駆動レバー９は、レバーに旋回する第一ローラ９ａを介してカム３００によって位置を制御され、それによりレバーに旋回する第二ローラ９ｂが歯車部１ｄを割り出す日付板の軌道上に位置してもよいし位置しなくてもよい。したがって、小の月の末であって第二ローラが歯車部１ｄの軌道に干渉するとき、割出し歯車部は駆動され、日付板割出しジャンパー９１は駆動されない。その後、日車が「３０」を表示するよう位置され、駆動爪が日車を駆動するよう作用しているとき、日付板により安定して表示される次の日付が「１」であるように、レバーと歯車部は協働する。それに対して、大の月の末であって、第二ローラが歯車部１ｄの軌道に干渉しないとき、割出し歯車部１ｄは駆動されず、ジャンパー９１を割出す日付板は駆動される。その後、日車が「３０」を表示するように位置され、駆動爪が日車を駆動するよう作用しているとき、日付板により安定して表示される次の日付は「３１」であるように、ジャンパー９１と歯車部１ａは協働する。
【００８０】
図１５に示す例において、カム３００と協働するよう設計されるレバー９は、時計のムーブメントのムーブメント枠組上で旋回される。あるいは、レバー９は時計車、例えば日車上で、旋回される。
【００８１】
図１５に示す例において、レバー９は日車の歯車部１ｄと協働するよう設計される。あるいはレバー９は、日車の追加駆動要素と協働するよう設計される日車の格納可能な歯車部の形をとることもできる。
【００８２】
図１５に示す例において、レバー９はカム３００の外周と協働するよう設計される。もちろん、レバー９はカム３００の内周と協働してもよい。
【００８３】
したがって、月カムは以下を定義するように配置される。
‐カレンダーシステムの第一状態であって、日車が「３０」日を表示する位置にあるとき、カレンダーシステムの駆動要素７の動作により日車が２ステップ進み；
‐カレンダーシステムの第二状態であって、日車が「３０」日を表示する位置にあるとき、カレンダーシステムの駆動要素７の動作により日車が１ステップ進む。
【００８４】
言い換えると、本発明は、時計のカレンダーシステムまたは時計のムーブメントまたは時計の作動方法に関し、その方法は以下のステップを有する。
‐日車が「３０」日を表示する位置にあるとき、カレンダーシステムの駆動要素７の動作により日車が２ステップ進む、カレンダーシステムの第一状態を定義する第一位置に月カムを位置させるステップと、
‐日車が「３０」日を表示する位置にあるとき、カレンダーシステムの駆動要素７の動作により日車が１ステップ進む、カレンダーシステムの第二状態を定義する第二位置に月カムを位置させるステップ。
【００８５】
本カレンダーシステムの第二実施例に示される本発明の第二態様によると、時計のカレンダーシステム２００は好ましくは以下を有する。
‐日車１、
‐月カム３００、および
‐月カムの動きを日車が駆動するよう配置された、動的接続要素８。
【００８６】
好ましくは、月カムの動きは、日車１のみによって駆動される。より詳しくは、月カムの動きは、動的接続要素８を介して日車１のみによって駆動される。
【００８７】
上述した通り、日車は日付表示部材を有してもよく、特に日付表示板を有してもよい。
【００８８】
同様に、月車は月表示部材を有してもよく、特に月表示板を有してもよい。
【００８９】
動的接続要素は好ましくは、ひと月の間に、特に１／１２回転である月カムの１ステップを駆動、特に排他的に駆動するよう配設される。特に、該動的接続要素は日車が１ステップで駆動される間に月カムが最大１／ｎステップ分駆動されるよう配置されてよい。ここで、ｎは１より大きい自然数であり、特にｎ＝２またはｎ＝３またはｎ＝４またはｎ＝５である。
【００９０】
前述した通り、動的接続要素は月カムと噛み合いかつ日車と噛み合う、中間車を有してもよい。
【００９１】
様々な実施例において、日車と日付表示部材は、一体アセンブリを構成してもよいし、または一つの部品として形成されてもよい。あるいは、部材と車は互いに連結されてもよい。同様に、月車と月表示部材は、一体アセンブリを構成してもよいし、または一つの部品として形成されてもよい。あるいは、部材と車は互いに連結されてもよい。
【００９２】
様々な実施例において、この部材１０に形成される開口部１０ａは、当然、同じ部材の透明領域からなってもよく、特に、より広範囲の、半透明な第二領域の中に組み込みこまれた第一透明領域であってもよい。文字盤がない時計、特に「スケルトン」タイプの時計において、開口部１０ａは月表示を表示するのに充分である。
【００９３】
様々な実施例において、月の１日目の表示または月の表示と共に表示されるよう意図された他の日付は、さらには、月表示部材３０に含まれてもよい。
【００９４】
好ましくは、本発明に係るカレンダーシステムは、ラピッド修正システムを伴っている。そのようなカレンダーシステムは、例えば時計のムーブメントをセットするのに使用する巻真の軸上の位置の機能として、該カレンダーシステムをセットするモードのときのみ、開口部１０ａが現れるような機構を有してもよい。
【００９５】
各実施例において、時計のカレンダーシステムは好ましくは瞬間ジャンプ型である。
【００９６】
各実施例において、日付表示部材およびまたは月表示部材は、好ましくは板または板の環状部である。あるいは、これらの表示部材の一方およびまたは他方は、アームと協働するよう意図された針を有してもよい。
【００９７】
この明細書においては、動的接続要素の主な実施例を詳細に説明した。しかしながら、前述した通り、代わりとなる動的接続要素を使用してもよい。例えば、動的接続要素は、日車と月カムとの両者と噛み合ういかなる減速装置であってもよく、該減速装置の歯車は、月カムを１回転の１／１２回転させつつ日車を１回転以上させることにより、月カムをひと月の間に１ステップ駆動することができる。
【符号の説明】
【００９８】
１  日車
３  月車
４  窓
８  動的接続要素
１０  日付表示部材
１０ａ  開口部
３０  月表示部材
９９  文字盤
１００  カレンダーシステム
１１０  ムーブメント
１２０  時計
２００  カレンダーシステム
２１０  ムーブメント
２２０  時計
【図１】
2017134056.tif 000003
【図２】
2017134056.tif 000004
【図３】
2017134056.tif 000005
【図４】
2017134056.tif 000006
【図５】
2017134056.tif 000007
【図６】
2017134056.tif 000008
【図７】
2017134056.tif 000009
【図８】
2017134056.tif 000010
【図９】
2017134056.tif 000011
【図１０】
2017134056.tif 000012
【図１１】
2017134056.tif 000013
【図１２】
2017134056.tif 000014
【図１３】
2017134056.tif 000015
【図１４】
2017134056.tif 000016
【図１５】
2017134056.tif 000017
【外国語明細書】
2017134056000001.pdf
2017134056000002.pdf
2017134056000003.pdf
2017134056000004.pdf